(57)【要約】      （修正有）【課題】従来の衣類ハンガーは、洗濯物をハンガーに取り付け、取り外す作業に手間がかかり、また洗濯物を衣類ハンガーに固定するには洗濯バサミ等が必要であった、また物干し竿に衣類ハンガーを取り付けた後、衣類ハンガーが落下や移動をして重なり合い、乾燥が不十分なものもあった。【解決手段】衣類ハンガーは、主アーム５が折りたたまれた状態で、シャツやセーターなどの衣類の首穴より挿入し、主アームを洗濯物内部で手動展開すると、それと同時に自動的に洗濯物が固定できる。また厚手の生地の洗濯物を取り付けた時には、補助アーム１０を展開し、洗濯物の内部に空間を設け乾燥が容易にでき、ハンガーを竿等に固定する事が容易であり、取り入れに際してはワンタッチで衣類が外せる。【選択図】図１
2013215232.tif 000002
【特許請求の範囲】
【請求項１】
一対の本体プレートと、該一対の本体プレート間に挿入され該一対の本体プレートを重ね合わせて連結する主、副二対の連結軸と、一対の主アームと、該主アームの回動を規制するストッパーと、該ストッパーの主アームの回動規制を解除する解除ボタンと、一対の副アームと、吊り下げフックと、から構成される衣類ハンガーであって、
前記本体プレートが左右対称形状であって、対称形状の中心線を中心軸と定め、
前記一対の主アームが、前記一対の本体プレートに挟まれ、且つ、前記中心軸に対し左右対称位置に配置された前記連結軸に回動自在に軸止されており、
前記一対の主アームの回動範囲が前記中心軸に対し左右対称であって、その回動範囲が平行から垂直の範囲に規制され、且つ垂直位置に回動された時、前記ストッパーにより回動が規制されて衣類取付け形状に保持され、前記解除ボタンの作動により回動自在となるものであって、
前記一対の副アームが、前記中心軸に対し左右対称位置で前記一対の本体プレートに挟まれ、且つ、前記中心軸に対し左右対称位置に配置された前記副連結軸に回動自在に軸止されると共に、バネを介して前記本体プレートに弾性支持されており、前記主アームが垂直位置に回動された時、前記主アームに弾性的に当接して衣類を保持する状態になり、前記吊り下げフックが、被吊り下げ部材に吊り下げ自在であることを特徴とする衣類ハンガー。
【請求項２】
前記吊り下げフックに複数の解放環、複数のフック、複数の切り欠きのいずれか１種類又は複数種類が形成されており、前記吊り下げフックが、前記被吊り下げ部材に吊り下げ自在に固縛できることを特徴とする請求項１に記載の衣類ハンガー。
【請求項３】
前記本体プレート中心位置に支持され、前記プレート面と垂直方向に折り曲げ自在に屈伸する補助アームを備える事を特徴とする請求項１または請求項２の何れか１項に記載の衣類ハンガー。
【発明の詳細な説明】
【技術分野】
【０００１】
本発明は、衣類等を洗濯し干すために用いるハンガーで、２枚の本体プレート間に取り付けた、左右のアームを別個に回動可能とし、手動により回動を行い展開できることで、洗濯物の取り付けが容易に出来ることと、該ハンガーを竿に吊り下げた時、風の影響でハンガーが落下することを防ぐ固縛用環ゴムを、簡単かつ適切な位置に取り付けることと、洗濯バサミを使用しなくても洗濯物が固定できる、一対の副アームと、ワンタッチで左右のアームが折りたためる、一対のストッパー解除ボタンと、補助アームを設けて、厚地の生地の乾燥を容易にすることを特徴とする、衣類ハンガーに関するものである。
【背景技術】
【０００２】
従来の衣類ハンガーには形状が変化しないものや、折りたたみ式、伸縮式のものがある。
【０００３】
形状が変化しないハンガーでは洗濯物を取り付けるとき、または外すときに、ティーシャツ、下着類、セーター等の前面開放でない首穴の小さい衣類の下部より衣類ハンガーを入れて取り付けていた、こうした作業は単純ではあるが、濡れている衣服の場合には取り付けが面倒であった。
【０００４】
また乾燥後に取り込みを行う時、衣類の首穴からハンガーを外すと首穴が大きく伸びてしまい、衣類の形がくずれ、また衣類の下部より取り出そうとすると、フックが袖口に絡んで取り出せないこともしばしば起こる。
【０００５】
上記の作業を簡素化した、折りたたみ式や伸縮式のハンガーでは洗濯物の取り付け、取り込みは改善されてはいるが、衣類脱落防止のため洗濯バサミにより衣類をハンガーに固定する必要があった。
【０００６】
また従来のハンガーでは物干し竿や、ロープに洗濯物を吊り下げた後、風による移動や落下を防ぐため、大型のクリップでハンガー吊り下げフック部を竿に固定している。
【０００７】
そうした日常的な、単純かつ煩雑な家庭内の作業に掛る時間を少しでも短縮する事が目的で、洗濯物乾燥の作業における省力化の発明がなされている（下記の特許文献１、２、３、４参照）。
【先行技術文献】
【特許文献】
【０００８】
【特許文献１】登録実用新案第３０６５４４６号
【特許文献２】特許公開  ２０００-１８４９５４
【特許文献３】特許公開  平１０-３１４００３
【特許文献４】特許公開  ２０１０-１１０５４５
【発明の概要】
【発明が解決しようとする課題】
【０００９】
解決しようとする問題点は、洗濯物をハンガーに取り付け、物干し竿に取り付けることから取り込みをする作業において、衣類のハンガーへの取り付け作業、洗濯バサミによるハンガーへの固定作業、洗濯物を取り付けたハンガーの物干し竿や、ロープへの固定作業を、洗濯バサミ、大型のクリップなどを使用していたが、ハンガー以外の道具を使用することなく行えれば、作業時間の短縮ができる。
【００１０】
また本発明の、衣類ハンガーを物干し竿から取り入れるときには、大型のクリップ等でハンガーを固定していないため、クリップを片づける手間が省ける、またハンガーからワンタッチで衣類を外せることにより、衣類の取り外しに掛ける時間や労力を短縮することを目的とする。
【００１１】
そうした目的で考案された先行技術のハンガーは、衣類のハンガーへの取り付けは、容易に出来るように工夫されているが、衣類のハンガーへの固定には洗濯バサミが必要であり、洗濯バサミの準備や、洗濯バサミで衣類を一枚一枚ハンガーに固定する作業などが必要である。
【００１２】
またこれらの先行技術によれば、ハンガーのフック部が握りハサミ状となっていて、竿を挟み込み固定できるものとなっているものもあるが、握り部はプラスチック製であり、多くの場合ステンレス製の竿においては、風等の影響で滑り、ハンガーが移動する、そして物干しロープ等に取り付けた場合には、ハンガー吊り下げフックのサイズとロープの直径が極端に違い、強風時には洗濯物を取り付けたハンガーが移動し、一か所に集まり乾燥が不十分なときがあり、さらにハンガーが落下することもある。
【課題を解決するための手段】
【００１３】
請求項１に記載の発明は、左右対称の本体プレートを２枚組み合わせ、該本体プレートの左右位置における中心線を中心軸と定め、該本体プレート間に、主アームを主アーム回転軸に、副アームを副アーム回転軸に、それぞれ中心軸に対して、回動可能で対称に軸止し、左右の該主アームの端部に、ストッパーが差し込まれる主アームストッパー用開口をそれぞれ有し、該主アームを手動で回動させ、該主アームストッパー用開口に、主アームストッパーが差し込まれることにより、衣類を保持する形態で形状を保ち、衣類の上面より該副アームが弾性的に主アームに当接して、衣類を挟み込み、衣類の脱落を防止することができ、衣類の取り外しに際しては、主アームストッパー解除ボタンを、左右同時に操作することにより、ワンタッチで該主アームが平行位置に回動し、同時に該副アームも該主アームに当接できなくなり、衣類を取り外すことができる。
【００１４】
本体前面プレート中央部に、ストッパーアーム取り付けブラケットを２か所並べて設け、２組のストッパーアームを左右に並べて取り付け、２組のストッパーアームの端部に、主アームストッパー解除ボタン、他の端部に主アームストッパーを取り付け、ストッパーアームバネと共に、該ストッパーアーム取り付けブラケットにそれぞれセットする。
【００１５】
前記主アームストッパー解除ボタンは、ストッパーアームバネにより、ストッパーアーム取り付けブラケットを中心に持ち上げられており、またストッパーアームの他方のストッパーは常に主アームの固定ができる位置に押さえられている、そして主アームの部分を手動により、回動させれば、本体プレートの中で回動する該主アームが、該主アームストッパーを押し上げ、さらに回動を続け、固定位置まで回動した該主アームに、該ストッパーアームバネの作用により押さえられている該主アームストッパーが、主アームストッパー用開口に入り込み、該主アームが固定される、また該主アームは本体下部の枠に接触し、固定位置より超えて回動することはできない、このような動作は左右の主アームで同様の事ができる。
【００１６】
衣類取り付け時において、平行位置に折り畳まれた前記主アーム部を、シャツ、セーター等の前面が開放されていない衣類の首穴に差し込み、主アームを展開のために衣類の上から回動させれば、主アームストッパー用開口に主アームストッパーが自然に差し込まれ、主アームは展開状態で固定される、このような動作は左右同じである。
【００１７】
主アームを衣類の中で展開させれば、衣類の外側に位置する副アーム衣類おさえと、主アームで衣類を挟み込み、衣類の落下を防ぐ事ができ、洗濯バサミを取り付ける事無く、衣類を固定できる、副アームは、副アームバネまたは伸縮自在のゴムで、常に主アーム側に押さえられているので、衣類が落下する事はない、このような動作は左右同じである。
【００１８】
前記の副アームは、洗濯物取り入れのため、主アームが折り畳まれれば、折り畳み方向に回転する主アームの上端に接触し、主アームと副アーム衣類おさえとの間が開き、衣類を保持できなくなり、衣類はハンガーから外れる。
【００１９】
主アームが展開固定された状態で、ストッパーアームの上端部にある主アームストッパー解除ボタンを左右同時に押せば、該ストッパーアームの下端にある左右のストッパーが、ストッパーアーム取り付けピンを中心に持ち上げられ、左右の主アームストッパーを、主アームストッパー用開口から引き抜き、左右の該主アームが同時に折りたたまれる。
【００２０】
請求項２に記載の発明は、ハンガー吊り下げフックの外側の適当な位置に、一方が開放された環、または切り欠きを設け、その部分に伸縮自在のゴム紐、または環ゴムを取り付け、ゴム紐または環ゴムをハンガー吊り下げフックの先端に設けた引っ掛け部に、物干し竿、またはロープを挟み込んで引っ掛ければ、ゴム面が竿に接触して滑らなくなり、ハンガーが風等の影響で外れることや移動することもない、またハンガーをロープ等に吊るす時には、環ゴムを、ロープに一度巻き付けてからフック先端の引っ掛け部に掛ければロープに吊るしても移動しない、そしてゴム紐、環ゴムが破断または弾力性がなくなれば簡単に交換できる。
【００２１】
請求項３に記載の発明は、厚手の衣類をハンガーに取り付けた時、本体後面に取り付けた、補助アームを展開することにより、ハンガーに取り付けられた衣類の中に空間が生じ、厚手の衣類の乾燥が容易になる。
【発明の効果】
【００２２】
本発明の衣類ハンガーは、ハンガー以外に他の道具を使用する必要がないので、洗濯バサミの準備、洗濯バサミの取り付けや、取り外し、片づけ、洗濯を行った衣類の干し物作業や取り入れの煩雑な作業の一部が省ける。
【００２３】
また従来では、ハンガーを物干し竿やロープに吊り下げて乾燥を行っている時、吊り下げたハンガーは、風等でハンガーが移動し一か所に集まり、乾燥が不十分な時もあり、さらに落下することもあった、そのためハンガーの落下を防ぐため大型のクリップで、ハンガーを固定していた。
【００２４】
本発明の衣類ハンガーは、ハンガー吊り下げフック部の適切な位置にゴム紐または環ゴムの取り付け部を設け、竿、ロープをゴム紐または環ゴムで竿やロープに固定することにより、落下や移動を防ぐ事ができるので、天候による衣類ハンガーの移動が防げるので効果的に乾燥ができる。
【００２５】
また洗濯物を、本発明の衣類ハンガーから外す時には、衣類より上に出ているストッパー解除ボタンを、左右同時に押せば、ストッパーアームを通じて、ストッパーが持ち上がり、該ストッパーが主アームストッパー開口から外れ、主アームの重さにより折りたたみ回動する、この時、副アームは、該主アームの回動してきた上部先端に接触し、該主アームと副アーム衣類おさえの間に空間が生じ、衣類を保持する事ができないので洗濯物は簡単に外れる。
【００２６】
洗濯された衣類ではなく、身に着けていた衣類をかけるときにも、副アームがあるので、衣服を二枚重ねて掛ける事ができる、例えば、衣服を副アームの下の主アームに掛け、コート類を副アームの上に掛けてある時、外出時には下に掛けた衣服を先に身につけるので、本体プレートと上のコート類を指で押さえ、ストッパー解除ボタンを同時に押せば、該主アームが折り畳まれて、内側の衣服が外れる、その後、左右の該主アームを手で回動展開させれば、上のコートはそのままハンガーに掛けられた状態となり、落下しない、さらに必要であれば、副アーム衣類おさえで挟めばコートは保持される。
【００２７】
本発明の衣類ハンガーは、４本のビスにより組み立てられているので、本体前後面プレート、主アーム、補助アーム、衣類落下防止アーム等が摩耗や折損した場合には交換が容易に出来る、そのため部品を交換するだけで済み、買い替える必要はないので経済的であり、長期間の使用ができる。
【図面の簡単な説明】
【００２８】
【図１】は本発明の衣類ハンガーの主アームが展開された正面全体図。
【図２】は本発明の衣類ハンガーの主アームが展開された後面全体図。
【図３】従来の代表的な伸縮式ハンガーの全体図。
【図４】従来のハンガーの全体図。
【図５】は本発明の衣類ハンガーで、主アームを折りたたみ、主アームが平行な状態の正面全体図で、洗濯物を取り付ける前、及び洗濯物を外した後の状態を示す。
【図６】は本発明の衣類ハンガーの主アームの平面図で、記号指示のない穴は軽目開口を示す。
【図７】は本発明の衣類ハンガーの中心部断面図で、主アームの主アームストッパー用開口に主アームストッパーが入り込み、主アームを固定している状態を示す。
【図８】はハンガー吊り下げフックに、環ゴムを取り付ける切り欠きを設けた例を示す。
【図９】は本発明の衣類ハンガーの中心部断面図及び補助アームの側面図で、衣類ハンガーの中心部断面図は、補助アームを展開した時の状態を示す。図中の矢印は補助アームに取り付けたハサミのつまみを押して、ハサミの口を開けた状態を示す。
【図１０】は本発明の衣類ハンガーの中心部断面図で、主アームストッパー解除ボタンを左右同時に押して、主アームのストッパーを解除した時の状態を示す図で、図中の矢印は押しボタンを押した方向を示す。また５´は主アーム５が下に折りたたまれ、平行状態になった時の位置をしめす。
【図１１】は本発明の衣類ハンガーの補助アームの平面図と側面図である。
【図１２】は本発明の衣類ハンガーのストッパーアーム左右一対の平面図と側面図である。
【図１３】は本発明の衣類ハンガーの副アームバネ１６に替えて、副アームゴム紐４２とした時の状態を示す、該副アームゴム紐は副アームバネ取り付け軸２０に取り付けられる、図中の副アーム１５の上方の矢印は、指で副アーム１５の上端を押さえる方向を示す、また副アーム衣類おさえ１７の矢印は、副アーム１５の上端を、指で押さえる事により、該副アーム１５の先端にある該副アーム衣類押さえ１７が回動する方向をしめす。
【図１４】は本発明の衣類ハンガーの、ハンガー吊り下げフックを、物干しロープ４３に取り付けた状態で、環ゴム１４を物干しロープ４３に巻きつけ、環ゴム引っ掛け部１８に掛けた状態を示す。
【図１５】は本発明の衣類ハンガーの本体後面プレート４の内側の鳥瞰図である。
【図１６】は本発明の衣類ハンガーの本体前面プレート３の内側の鳥瞰図である。
【図１７】は本発明の衣類ハンガーで、主アーム５と、副アーム１５の移動関連を示す図である、アルファベット小文字は副アームの位置を、アルファベット大文字は主アームの位置を表す、ａとＡ、ｂとＢ、ｃとＣがそれぞれの関連した位置である。
【図１８】は本発明の衣類ハンガーで、補助アーム１０を展開した時の状態の鳥瞰図である。
【発明を実施するための形態】
【実施例】
【００２９】
実施例を図面により説明すると、図１は本発明の衣類ハンガーの正面図で、ハンガー吊り下げフック１、本体前面プレート３、主アーム５、副アーム１５、ストッパーアーム３１などの全体的な配置を表す、該主アーム５と該副アーム１５は、本体前面プレート３と、本体後面プレート４を接合する時、いずれかの本体プレート側にある、主アーム回転軸２３と副アーム回転軸に差し込み、他の本体プレートで挟み込んだ状態で上部本体結合ビス７、と下部本体結合ビス８を締め付ければ、各軸に回動自在に軸止する事ができる。
【００３０】
図２は、本発明の衣類ハンガーの後面図で、前記のハンガー吊り下げフック１、本体後面プレート４、主アーム５、副アーム１５と、補助アーム１０などの全体的な配置を表す。
【００３１】
図３は、従来の伸縮ハンガーの全体図。
【００３２】
図４は、従来のハンガーの全体図。
【００３３】
図５は、本発明の衣類ハンガーで、主アーム５を折り畳み、該主アーム５が平行な状態を示す、該衣類ハンガーは使用前には本図の形態をしていて、本体前面プレート３と、本体後面プレート４を手で挟み込むように持ち、折り畳まれた主アーム５の先端を、首穴から副アーム衣類おさえ１７より上方まで差し込む、その後、洗濯物の上から該主アーム５を手動で上方に回動させる、回動は主アームストッパー用開口６に主アームストッパー３５が自動的に差し込まれる位置まで行い、該主アーム５を手動で展開し、主アームストッパー３５により固定されるまで回動させる、この動作は左右同様である。
【００３４】
前記主アーム５を、展開のため回動させると、副アーム１５は、副アームバネ１６の収縮力により常に下方に引っ張られているので、回動展開中の該主アーム５の上部と接触し、洗濯物を挟み込み、さらに該主アーム５と共に上方に回動し、該主アーム５が主アームストッパー３５により固定される、そして他方の主アーム５も同様に手動で回動させ、副アーム１５と主アーム５で洗濯物を挟み込んで固定され、取り付けが終了する、また例えば、該副アーム１５を常に下向き回転方向に引いている該副アームバネ１６は、伸縮自在のゴム紐４２に変えても、該副アーム１５の働きは同様である。
【００３５】
主アーム５が展開固定された状態は図１、図２と同様である。
【００３６】
図６は、主アーム５の正面図で、該主アーム５の一方の端部に主アームストッパー用開口６を設け、該主アームストッパー用開口６近傍の他端方向に、主アーム回転軸穴１３を設ける、該主アーム回転軸穴１３は、主アーム回転軸２３に差し込まれ、下部本体結合ビス８により、本体プレート組み立てと同時に、主アーム回転軸２３に取り付けられる、該主アーム５は、該主アーム回転軸２３を中心に回動を行う。
【００３７】
図７は、本発明の折り畳み衣類ハンガーの中央部断面図で、洗濯物が取り付けられ、主アーム５に、主アームストッパー３５が差し込まれて、該主アーム５を固定している状態を示す。該主アーム５は回動により該主アームストッパー３５に接触するが、該主アーム５の外周は接触したものが滑りやすい形状をしているので、該主アームストッパー３５は、該主アーム５に押し上げられて移動するが、ストッパーアームバネ３３により、常に該主アーム５に設けられた、該主アーム用ストッパー開口６にはまり込む位置に戻ろうとするため、該主アーム５に設けられた、該主アームストッパー用開口６が該主アームストッパー３５の位置に来れば、該主アームストッパー３５が自然にはまり込み、該主アーム５を展開固定する。
【００３８】
本発明の衣類ハンガーは、洗濯物を取り付け、前記の状態で物干し竿４０に取り付けられる、該物干し竿４０への取り付けは、ハンガー吊り下げフック１を物干し竿４０に掛け、環ゴムホルダー２に取り付けられた、環ゴム１４を指で引っ掛け、ハンガー吊り下げフック１と環ゴム１４で、物干し竿４０を挟み込んで、環ゴム引っ掛け部１８に掛ければ固縛状態となる。
【００３９】
本発明の衣類ハンガーを、環ゴム１４で物干し竿４０に固縛する事で、該ハンガーの移動を防止できるし、また物干し竿４０から外れて落下する事はない、また環ゴム１４の把持力が少ない時は、環ゴム１４を交換すればよい。
【００４０】
図８は、ハンガー吊り下げフック１に、環ゴム取り付け用切り欠き４１を設けた図で、ハンガー吊り下げフック１が、樹脂等で製作された場合の例を示す。
【００４１】
図９は、本発明の衣類ハンガーの中央部断面図で、衣類ハンガーが物干し竿４０に取り付けられ、補助アーム１０を展開した状態を示す。厚手の生地の洗濯物などを干す場合、従来のハンガーでは、洗濯物の生地の間隔が保たれないので、洗濯物を取り入れる時間になっても、その時の天候次第で洗濯物が十分に乾燥できていない時もある。
【００４２】
本発明の衣類ハンガーの、本体後面プレート４の下部に設けられた補助アーム取り付けブラケット９に、補助アーム１０の下部を差し込み、補助アーム取り付けビス穴２０を、補助アーム取り付けブラケット９のビス穴に合わせ、補助アーム取り付けビス１１で取り付ければ、該補助アーム１０は、該補助アーム取り付けビス１１を中心に回転できる。
【００４３】
補助アーム１０は、取り付け部の端部に補助アームストッパー１９が突起していて、該補助アーム１０を展開した時には、該補助アームストッパー１９が、本体前面プレート下枠２２と接触し、必要以上に回転する事はない、厚手の衣類の洗濯物を、本発明の衣類ハンガーに取り付けた後、該補助アーム１０を展開すれば、洗濯物の中に空間ができ、乾燥が容易になる。
【００４４】
図１０は、洗濯物を取り込む時の本発明の衣類ハンガーの中央部断面図で、この状態を正面から見ると、図５と同様である。ストッパー作動部は本体前面プレート３に設けられた、ストッパーアーム取り付けブラケット３２に、ストッパーアーム取り付け突起３７を差し込み、ストッパーアームバネ３３と共に、ストッパーアーム取り付けピン３４で、該本体前面プレート３の中央にある該ストッパーアーム取り付けブラケット３２に取り付けられている、ストッパーアーム３１は左右に分かれていて、それぞれ独立して作動できる。
【００４５】
洗濯物を取り込む時には、本発明の衣類ハンガーの環ゴム１４を環ゴム引っ掛け部１８から外して、物干し竿から取り込む、その後、ストッパーアーム３１の上端に設けられた主アームストッパー解除ボタン３０を矢印方向に左右同時に押す、該主アームストッパー解除ボタン３０を押すことにより、該ストッパーアーム３１の下端に取り付けられた主アームストッパー３５が、主アーム５の主アームストッパー用開口６から持ち上がり、該主アーム５の固定が解除され、該主アーム５は自重と洗濯物の重さで回動して折りたたまれ、平行状態になると同時に、副アーム１５に、該主アーム５の上部が接触して、副アーム衣類おさえ１７が該主アーム５から離れ、洗濯物が該衣類ハンガーより外れる。
【００４６】
図１１は、補助アーム１０の平面図と側面図で、補助アームハサミ１２の取り付け位置及び、取り付け状態を示す。
【００４７】
図１２は、ストッパーアーム部の平面図と側面図で、主アームストッパー３５を、主アームストッパー取り付けビス３６により、ストッパーアーム３１に取り付けた状態を示す、これにより主アームストッパー３５は交換が可能である、またこれらを一体に形成する事もできる。
【００４８】
図１３は、本体前面プレートと副アーム１５の拡大図で、主アーム５と、該副アーム１５に挟まれた洗濯物の取り付け状態が適正でない時は、該副アーム１５の上端部を、矢印方向に指で押さえれば、該副アーム１５が、副アーム回転軸２４を中心に回動し、副アーム衣類おさえ１７が、該主アーム５より持ち上げられる、そして該主アーム５との間が開き衣類の位置調整ができる、取り付け位置の調整が終われば、指で押さえていた該副アーム１５の上端を放せば、該副アーム１５は、副アームバネ１６により、該主アーム５に接触するまで回動する、また副アームバネ１６に替えて、副アームゴム紐４２を、衣類落下防止アームバネ取り付け軸２０に取り付けても効果は同じである。
【００４９】
図１４は、本発明の衣類ハンガーで、ハンガー吊り下げフック１を、物干しロープ４３に取り付けた状態で、環ゴムホルダー２に取り付けられた環ゴム１４を、物干しロープ４３に巻きつけ、環ゴム引っ掛け部１８に引っ掛けた状態で、ハンガー吊り下げフック１の内側径より極端に小さい物にも固定できることにより、風の影響で落下することや、移動する事が防げる、また取り外しは、環ゴム引っ掛け部１８に掛けてある、環ゴム１４内に指を差し込み外せば、環ゴム１４はそれ自体の収縮力で自然に外れる。
【００５０】
図１５は、本体後面プレート４の内側鳥瞰図で、上部本体結合ビスネジ穴２６を設けた副アーム回転軸２４、また下部本体結合ビスネジ穴２７を設けた主アーム回転軸２３、副アームバネ１６を取り付けるための、副アームバネ取り付け軸２０、補助アーム取り付けブラケット９、本体後面プレート下枠２１の配置を表す。
【００５１】
図１６は、本体前面プレート３の内側鳥瞰図で、上部本体結合ビス差し込み穴２８を設けた副アーム回転軸２４、また下部本体結合ビス差し込み穴２９を設けた主アーム回転軸２３、副アームバネ取り付け軸差し込み穴２５、本体前面プレート下枠２２の配置を表す。
【００５２】
図１７は、主アーム５と副アーム１５の位置を示すもので、主アーム５がＡの位置にある時は、副アーム１５はａの位置にあり、主アーム５がＢの位置にある時は、副アームはｂの位置にあり、主アーム５がＣの位置にある時は、副アーム１５はｃの位置にある、これにより主アーム５が折り畳まれた平行位置Ｃにあるとき、副アーム１５はｃにあり、衣類を保持できない。
【００５３】
図１８は、本発明の衣類ハンガーの鳥瞰図で、補助アーム１０が展開されている状態を表す。
【産業上の利用可能性】
【００５４】
本発明の衣類ハンガーは、日常的に行われている、洗濯物の乾燥作業の煩雑さを解消するためのものであり、忙しい時間内での作業で、ハンガー以外の道具を使用しないので、準備や後片づけの作業時間が短縮でき、また厚手の生地で作られた衣類の乾燥を容易にすることができ、さらに天候の影響により洗濯物が落下する事がないので安心して外出でき、部品が破損した場合には交換が可能で、長く利用でき経済的であり、各家庭内での必要性は大きい。
【符号の説明】
【００５５】
１、     ハンガー吊り下げフック
２、     環ゴムホルダー
３、     本体前面プレート
４、     本体後面プレート
５、     主アーム
５´、主アームの折りたたまれた位置
６、     主アームストッパー用開口
７、     上部本体結合ビス
８、     下部本体結合ビス
９、     補助アーム取り付けブラケット
１０、補助アーム
１１、補助アーム取り付けビス
１２、補助アームハサミ
１３、主アーム回転軸穴
１４、環ゴム
１５、副アーム
１６、副アームバネ
１７、副アーム衣類おさえ
１８、環ゴム引っ掛け部
１９、補助アームストッパー
２０、副アームバネ取り付け軸
２１、本体後面プレート下枠
２２、本体前面プレート下枠
２３、主アーム回転軸
２４、副アーム回転軸
２５、副アームバネ取り付け軸差し込み穴
２６、上部本体結合ビスネジ穴
２７、下部本体結合ビスネジ穴
２８、上部本体結合ビス差し込み穴
２９、下部本体結合ビス差し込み穴
３０、主アームストッパー解除ボタン
３１、ストッパーアーム
３２、ストッパーアーム取り付けブラケット  
３３、ストッパーアームバネ
３４、ストッパーアーム取り付け軸
３５、主アームストッパー
３６、主アームストッパー取り付けビス
４０、物干し竿
４１、環ゴム取り付け用切り欠き
４２、副アームゴム紐
４３、物干しロープ
【図１】
2013215232.tif 000003
【図２】
2013215232.tif 000004
【図３】
2013215232.tif 000005
【図４】
2013215232.tif 000006
【図５】
2013215232.tif 000007
【図６】
2013215232.tif 000008
【図７】
2013215232.tif 000009
【図８】
2013215232.tif 000010
【図９】
2013215232.tif 000011
【図１０】
2013215232.tif 000012
【図１１】
2013215232.tif 000013
【図１２】
2013215232.tif 000014
【図１３】
2013215232.tif 000015
【図１４】
2013215232.tif 000016
【図１５】
2013215232.tif 000017
【図１６】
2013215232.tif 000018
【図１７】
2013215232.tif 000019
【図１８】
2013215232.tif 000020